(57)【要約】【課題】電気鍼治療および吸玉治療を同時に行うことができる吸玉を提供する。【解決手段】患部を覆いその内部を減圧にして患部を治療する吸玉１は、治療時に患部に接する開口および減圧装置に連結される吸引口１１を有する本体、および導電性を有し本体の壁のそれぞれ異なる位置に固定され互いに絶縁された一対の電極４，４を備える。電極は、本体の内部に位置する接触部２１、および本体の外部に位置し接触部に電気的に連通する連結部２２を有する。【選択図】図１
0003201047.tif 000002
【実用新案登録請求の範囲】
【請求項１】
患部を覆いその内部を減圧にして前記患部を治療する吸玉であって、
治療時に前記患部に接する開口および減圧装置に連結される吸引口を有する本体と、
導電性を有し前記本体の壁のそれぞれ異なる位置に固定され互いに絶縁された一対の電極と、を備え、
前記電極は、
前記本体の内部に位置する接触部と、
前記本体の外部に位置し前記接触部に電気的に連通する連結部と、を有する
ことを特徴とする吸玉。
【請求項２】
患部を覆いその内部を減圧にして前記患部を治療する吸玉であって、
治療時に前記患部に接する開口および減圧装置に連結される吸引口を有する本体と、
導電性を有し前記本体の壁のそれぞれ異なる位置に固定され互いに絶縁された一対の電極と、を備え、
前記電極は、
前記本体の内部に位置する接触部と、
前記本体の外部に位置し前記接触部に電気的に連通する連結部と、を有し、
前記接触部は、前記開口側から前記本体を見たとき同方向に凹状または１８０度異なる方向に凹状である保持部を有する
ことを特徴とする吸玉。
【請求項３】
患部を覆いその内部を減圧にして前記患部を治療する吸玉であって、
治療時に前記患部に接する開口および減圧装置に連結される吸引口を有する本体と、
導電性を有し前記本体の壁のそれぞれ異なる位置に固定され互いに絶縁された一対の電極と、を備え、
前記電極は、
前記本体の内部に位置する接触部と、
前記本体の外部に位置し前記接触部に電気的に連通する連結部と、を有し、
前記接触部は、中空であって対向する位置にそれぞれ互いに大きさが異なる前記中空の開口部分を有する保持部が設けられ、
前記保持部は、前記開口側から前記本体を見たとき、その大きい方の開口部分が手前に配されている
ことを特徴とする吸玉。
【請求項４】
患部を覆いその内部を減圧にして前記患部を治療する吸玉であって、
治療時に前記患部に接する開口および減圧装置に連結される吸引口を有する本体と、
導電性を有し前記本体の壁のそれぞれ異なる位置に固定され互いに絶縁された一対の電極と、を備え、
前記電極は、
前記本体の内部に位置する接触部と、
前記本体の外部に位置し前記接触部に電気的に連通する連結部と、を有し、
前記接触部は、中空であって対向する位置にそれぞれ互いに大きさが異なる前記中空の開口部分を有する保持部が設けられ、
前記保持部は、
前記開口側から前記本体を見たときその大きい方の開口部分が手前に配され、
前記開口側から見たとき、その小さい方の開口部分を実質的に狭めるように前記小さい方の開口部分周りから奥側に突出する板状の弾性を有する接触板を備えた
ことを特徴とする吸玉。
【考案の詳細な説明】
【技術分野】
【０００１】  本考案は、いわゆる鍼灸院で治療に使用される吸玉に関する。
【背景技術】
【０００２】  神経痛、腰痛、自律神経失調症、その他の体調不良を緩やかに治癒する方法として、物理療法である鍼治療が知られている。鍼治療は、痛みを感じさせる筋肉の興奮を鎮静し、逆に機能が減退した筋肉を刺激して機能を回復させ、および悪化した血液、リンパ液の流れを正常に戻す等の効果を有する。
また、鍼治療では、患部に刺した鍼に微弱な低周波パルス通電を行い、鍼を通じて筋肉の深部を電気で刺激し、筋肉内の疲労物質を減少させる等の電気的治療も一般化している。【０００３】  鍼治療が行われる鍼灸院等では、物理療法としての吸玉療法も行われる。吸玉療法は、例えば半球状の吸玉（吸角、吸缶またはカッピングとも言う）の開口を患部にあてがい吸玉の内部を減圧にすることにより、老廃物の発散を促進させ、患部の血液の循環を改善して新陳代謝を促し、痛みを軽減させる。
鍼治療に用いられる鍼、および吸玉治療に用いられる吸玉は、それぞれ種々のものが市販されている（非特許文献１、非特許文献２）。
【先行技術文献】
【非特許文献】
【０００４】
【非特許文献１】  鍼販売．ｃｏｍ、インターネット（ＵＲＬ：ｈｔｔｐ：／／ｗｗｗ．ｈａｒｉ−ｈａｎｂａｉ．ｃｏｍ／ｓｈｏｐｂｒａｎｄ／０２６／Ｘ／）
【非特許文献２】  株式会社医工、「ガラスカップ」、インターネット（ＵＲＬ：ｈｔｔｐ：／／ｗｗｗ．ｉｋｏ−ｗｅｂ．ｃｏｍ／ｐｒｏｄｕｃｔｓ／ｃｕｐｐｉｎｇ−ｃｕｐ／ｇｌａｓｓ−ｃｕｐ）
【考案の概要】
【考案が解決しようとする課題】
【０００５】  ところで、電気鍼治療および吸玉治療は、その治療目的が一部重複する。これらの治療法は、同時に行うことにより、それぞれ単独で行う場合に比べて各治療の効果が増大する相乗効果が期待できる。しかし、鍼治療および吸玉治療は、これまで別個に行われるのが常であった。同じ部位を対象としてこれらの治療を個別に行う場合には、合計治療時間はそれぞれ単独の治療時間を加えたものとなり、鍼灸院および患者双方に時間的な負担が大きかった。【０００６】  本考案は、上述の問題に鑑みてなされたもので、電気鍼治療および吸玉治療を同時に行うことができる吸玉を提供することを目的とする。
【課題を解決するための手段】
【０００７】  本考案に係る吸玉は、患部を覆いその内部を減圧にして患部を治療する吸玉である。吸玉は、治療時に患部に接する開口および減圧装置に連結される吸引口を有する本体と、導電性を有し本体の壁のそれぞれ異なる位置に固定され互いに絶縁された一対の電極と、を備える。電極は、本体の内部に位置する接触部と、本体の外部に位置し接触部に電気的に連通する連結部と、を有する。【０００８】  好ましくは、接触部は、開口側から本体を見たとき同方向に凹状または１８０度異なる方向に凹状である保持部を有する。
他の好ましい接触部は、中空であって対向する位置にそれぞれ互いに大きさが異なる中空の開口部分を有する保持部が設けられ、保持部は、開口側から本体を見たとき、その大きい方の開口部分が手前に配されている。【０００９】  この保持部については、開口側から本体を見たときその大きい方の開口部分が手前に配され、開口側から見たとき、その小さい方の開口部分を実質的に狭めるように小さい方の開口部分周りから奥側に突出する板状の弾性を有する接触板を備えるのが好ましい。【００１０】  ここで「奥側」とは、「開口側から（保持部を）見たとき」の奥側をいい、「奥側に突出する」とは、「全体として保持部から離れる側（つまり本体の開口から本体の内方に向かう方向）に突出する」の意である。
【考案の効果】
【００１１】  本考案は、電気鍼治療および吸玉治療を同時に行うことができる吸玉を提供することができる。
【図面の簡単な説明】
【００１２】
【図１】  図１は本考案に係る吸玉の斜視図である。
【図２】  図２は吸玉の正面図である。
【図３】  図３は吸玉の平面図である。
【図４】  図４は吸玉の裏面図である。
【図５】  図５は患者の患部に吸玉を配する様子を示す図である。
【図６】  図６は他の吸玉を示す図である。
【図７】  図７は他の吸玉を示す図である。
【図８】  図８は他の形態の保持部を示す図である。
【図９】  図９は図６および図７の吸玉の変形例を示す図である。
【考案を実施するための形態】
【００１３】  図１は本考案に係る吸玉１の斜視図、図２は吸玉１の正面図、図３は吸玉１の平面図、図４は吸玉１の裏面図である。
吸玉１は、本体２、逆止弁３および一対の電極４，４からなる。
本体２は、円筒の一端が半円球で閉じられた釣り鐘状の形状を有する。本体２における半円球部分の中央には、本体２の内部に連通する円筒状の吸引口１１が設けられている。本体２は、その軸方向長さの中央よりも若干開口側（吸引口１１の反対側）に近い壁に、壁を貫通する貫通孔１２，１２が１８０度間隔で設けられる。
【００１４】  本体２は、ポリカーボネイトで製作され、内部が観察可能なように透明である。本体２の形状は、図１に示されるもののほか、略球体等の湾曲する壁面を有し減圧に耐えられる形状を採用することができる。吸玉１自体は、公知である。
貫通孔１２，１２の位置は、吸引口１１とは反対側の開口から等距離かつ１８０度間隔が好ましいが、本考案の実施に支障のない範囲で任意に相対位置を変更できる。
【００１５】  逆止弁３は、軸心を共通とする円錐台状部分１３と円柱状部分１４とが直列に連結された外観である。逆止弁３は、その軸心を貫通する吸引路１５を有し、吸引路１５は、内部に、円柱状部分１４から円錐台状部分１３に向けてのみ気体を通過させることができる弁を有する。逆止弁３は、円柱状部分１４を先にして、円錐台状部分１３が吸引口１１に嵌め入れられる。逆止弁３は、シリコンゴムで形成される。
電極４には、鉄の丸棒が用いられる。一対の電極４，４は、それぞれ異なる貫通孔１２を貫通している。電極４，４は、本体２の内部でそれぞれの端面が離れた状態で対向し、接着剤により貫通孔１２に固定されている。本体２を貫通する電極４，４の貫通部分のシールおよび両者の一体化を、シールゴムを用いて行ってもよい。電極４における本体２の内部に位置する部分を「接触部２１」、電極４における本体２の外部に露出する部分を「連結部２２」という。
【００１６】  次に、吸玉１の使用法を説明する。
図５は患者の患部に吸玉１を配する様子を示す図である。図５における（ｂ），（ｄ）は、図２におけるＡ−Ａ矢視に相当する図である。
吸玉１を使用する前に、患部に２本の鍼３１，３１が刺し入れられる。鍼３１には、導電性を有するステンレス鍼が使用される。吸玉１は、事前に減圧装置に連結される。減圧装置との連結は、減圧装置から延びたチューブ３２の先端に取り付けられたキャップ３３に、吸玉１の吸引口１１を嵌め入れて行われる。
【００１７】  減圧装置に連結された吸玉１は、鍼３１，３１が刺し入れられた患部に被せられる。このとき、透明な本体２を通して接触部２１，２１の位置を確認しながら、接触部２１，２１が、（本体２の軸に対する）周方向において鍼３１，３１と交互に並ぶように調整する（図５（ａ））。続いて、接触部２１，２１が、それぞれ異なる鍼３１，３１に接しさらに鍼３１，３１が僅かに反る程度まで、吸玉１を（軸周りに）回す（図５（ｂ））。
チューブ３２に連結された減圧装置を動作させて吸玉１内を減圧にし、吸玉１を患部に固定する。減圧装置には、多くの場合、手動式吸引ポンプが使用される。
【００１８】  低周波数の電流発生装置から鍼３１，３１に通電するため、わに口クリップ３４，３４が電極４，４の連結部２２，２２にとりつけられる。
この後、電流発生装置から治療のための所定の低周波電流が電極４，４に流され、その結果、電気鍼治療および吸玉治療が同時に行われる。
吸玉１を用いる治療では、電気鍼治療および吸玉治療を個別に行う際の治療効果に加えて、吸玉と電気鍼との相乗効果により一層血管が刺激されて血行が改善され、患部の治癒効果の増加が期待できる。また、電気鍼治療および吸玉治療を同時に行うため、治療時間が短縮される。
【００１９】  図６は他の吸玉１Ｂを示す図である。図６において、（ａ）は正面図、（ｂ）は（ａ）におけるＢ−Ｂ矢視図、（ｃ）は裏面図、（ｄ）は他の形態の保持部２３Ｂａ，２３Ｂｂである。
吸玉１Ｂにおける電極４Ｂを除く各部分の構成は前述した吸玉１と同じである。吸玉１Ｂにおける吸玉１と同じ構成の部分については説明を省略し、図６において吸玉１と同じ符号を付す。
【００２０】  電極４Ｂは、本体２の内部に位置する接触部２１Ｂおよび本体２の外部に露出する連結部２２からなる。接触部２１Ｂは、内方の先端近傍が、平面視（図６（ｂ）参照）において円弧状に湾曲し、その内面（内方の湾曲面）は本体２の軸に平行な母線の集まりで形成され、全体として円筒の一部に類似する。接触部２１Ｂの湾曲する部分を「保持部２３Ｂ」という。電極４Ｂにおける保持部２３Ｂを除く部分は、電極４と同様に丸棒である。なお、保持部２３Ｂにおける「内方の湾曲面」とは、凹状の面をいう。
【００２１】  一対の電極４Ｂ，４Ｂは、本体２における１８０度間隔の一対の貫通孔１２，１２のそれぞれ異なる一方に固定される。電極４Ｂ，４Ｂは、保持部２３Ｂの内方の湾曲面における母線が本体２の軸に平行に、かつ本体２の軸に対して点対称となるように（内方の湾曲面が１８０度逆方向を向くように）配されている。したがって、それぞれの保持部２３Ｂ，２３Ｂは、１８０度異なる方向に凹状となっている。
【００２２】  吸玉１Ｂは、鍼３１，３１が刺し入れられた患部に被せられ、それぞれの保持部２３Ｂ，２３Ｂの内方の湾曲面に鍼３１，３１が当たり僅かに鍼３１，３１が反るまで回されたのち、本体２の内部が減圧される。
吸玉１Ｂの内部では、鍼３１における電極４Ｂに接触する部分が、内方の湾曲面における鍼３１に生じた反りの最も小さくなる位置（最も反りの復元力が弱くなる位置）まで移動し、この位置で安定に保持部２３Ｂ戸の接触状態が維持される。
【００２３】  吸玉治療では、吸玉内の皮膚が減圧により隆起する。そのため、刺し入れられた鍼３１，３１の姿勢が変化するおそれがある。吸玉１Ｂは、鍼３１，３１の姿勢が変化する場合であっても、鍼３１における電極４Ｂとの接触部分は、内方の湾曲面のいずれかの位置に移動した後、なお安定に電極４Ｂとの通電状態を維持し続けることができる。
図６（ｄ）に例示される、平面視の形状が多角形の頂角を含むその一部であって軸に平行な平面の組合せで形成された、凹状の内面を有する保持部２３Ｂａ，２３Ｂｂにおいても、保持部２３Ｂと同様に、鍼３１との接触状態の安定を実現することができる。
【００２４】  図７は他の吸玉１Ｃを示す図である。図７において、（ａ）は正面図、（ｂ）は（ａ）におけるＣ−Ｃ矢視図、（ｃ）は裏面図、（ｄ）は保持部２３Ｃと鍼３１との関係を示す図、（ｅ）は保持部２３Ｃの変形例（保持部２３Ｃａ）である。
吸玉１Ｃにおける電極４Ｃを除く各部分の構成は前述した吸玉１と同じである。吸玉１Ｃにおける吸玉１と同じ構成の部分については説明を省略し、図７において吸玉１と同じ符号を付す。
【００２５】  電極４Ｃは、本体２の内部の接触部２１Ｃおよび本体２の外部の連結部２２からなる。接触部２１Ｃは、連結部２２に連続する丸棒の先端近傍に、中空の四角錐台状の保持部２３Ｃが一体化されたものである。吸玉１Ｃにおいて、保持部２３Ｃは、大きな開口側（四角錐台における面積が大きな底面の側）が本体２の開口側（吸引口１１の反対側）を向いている。
一対の電極４Ｃは、保持部２３Ｃ，２３Ｃが本体２の軸に対して点対称に、または本体２の軸を含む平面に対して面対称となるように配される。保持部２３Ｃは、鉄で形成される。
【００２６】  図７（ｄ）を参照して、吸玉１Ｃは、患者の患部に配する際、鍼３１の先端が保持部２３Ｃの下方の開口に入るように位置が決められる。２つの鍼３１，３１の先端がそれぞれの保持部２３Ｃ，２３Ｃの開口に入ったことが確認されたのち、吸玉１Ｃにより患部が覆われる。
先端が保持部２３Ｃの開口に挿入された鍼３１は、吸玉１Ｃが患部に近づくに伴い、その先端が保持部２３Ｃの内面に案内されて上方の（小さい側の）開口に達し、先端が開口から出る。吸玉１Ｃを患部に被せた後、これを僅かに移動または軸まわりに回転させ、鍼３１に反りを生じさせると、接触部２１Ｃと鍼３１との接触が一層安定する。
【００２７】  吸玉１Ｃも、吸玉１Ｂと同様に、減圧により患部が変形し鍼３１の姿勢が変化しても、鍼３１への安定した通電を維持することができる。
保持部２３Ｃを他の形状、例えば角錐台、円錐台のような、一方の底面が他方の底面より大きな錐台としてもよく、図７（ｅ）のような一方向に傾いた錐台（保持部２３Ｃａ）としてもよい。保持部は、以下の要件を満たす。すなわち、保持部は、中空であって対向する２つの端面に互いに大きさが異なる開口を有する形状であり、中空の内面は段が無く鍼３１の先端が大きな開口から中空内面に接して小さな開口に移動可能である。保持部は、大きな開口が本体１の開口側に位置するように本体２内に配される。
【００２８】  図８は他の形態の保持部２３Ｄ，２３Ｅを示す図である。図８において、（ａ−１）〜（ａ−３）は保持部２３Ｄを示し、（ｂ−１）〜（ｂ−３）は保持部２３Ｅを示す。
保持部２３Ｄは、弾性を有するステンレスの薄板で形成された４つの接触板２４Ｄ，２４Ｄ，２４Ｄ，２４Ｄが付属する。接触板２４Ｄは、細長い矩形と、この矩形の短辺を長底辺とする台形とが連続する形状である。接触板２４Ｄは、４つがそれぞれ四角錐台２５Ｄ（以下「錐台２５Ｄ」という）の各側面に、その台形部分および矩形の一部を錐台２５Ｄの小さな開口側から外方に突出して固定されている。４つの接触板２４Ｄ，２４Ｄ，２４Ｄ，２４Ｄは、錐台２５Ｄにおける小さな開口を、平面視において（＝四角錐台を軸方向から見て）実質的に狭めている。
【００２９】  ４つの接触板２４Ｄ，２４Ｄ，２４Ｄ，２４Ｄは、その長手方向台形側の端縁が、平面視において通電する鍼３１の直径よりも小さな各辺の四角形を形成する。
保持部２３Ｄは、鍼３１がその内部を貫通すると、接触板２４Ｄ，２４Ｄ，２４Ｄ，２４Ｄの突出側（台形側）が押し広げられ常に鍼３１に接触する。保持部２３Ｄを有する吸玉は、患部に被せられてから周方向に回す等の姿勢の調整をしなくとも、鍼３１に対して通電可能である。また、保持部２３Ｄを有する吸玉は、減圧により患部が変形しても、保持部２３Ｄと鍼３１との通電可能を安定に維持できる。
【００３０】  保持部２３Ｅは、その本体である錐台２５Ｅおよび一対の接触板２４Ｅ，２４Ｅで構成される。錐台２５Ｅは、形状が中空の円錐台である。接触板２４Ｅは、導電性および弾性を有する金属の薄板であり、短册状の細長い矩形である。接触板２４Ｅは、長手方向を円錐台の外周面の母線に沿わせ、その一部を円錐台の小さな開口側から突出させて、錐台２５Ｅの外周に固定されている。一対の接触板２４Ｅ，２４Ｅは、周方向に１８０度間隔に配される。これらのことから、一対の接触板２４Ｅ，２４Ｅは、平面視において錐台２５Ｅの小さな開口を実質的に狭めている。一対の接触板２４Ｅ，２４Ｅにおける円錐台から突出する端縁の間隔は、鍼３１の直径よりも小さい。
【００３１】  保持部２３Ｅを備えた吸玉は、保持部２３Ｄを備えた吸玉と同様に、鍼３１，３１を保持部２３Ｅに貫通させた状態で患者の患部に被せると、鍼３１に接触板２４Ｅ，２４Ｅが常時接触する。そのため、吸玉の患者への装着を簡便に行うことができ、かつ減圧により鍼３１の姿勢が変化しても、鍼３１への通電を維持し続けることができる。
保持部２３Ｄ，２３Ｅにおける接触板２４Ｄ，２４Ｅは、鍼３１が保持部２３Ｄ，２３Ｅを貫通したときその弾性により鍼３１に接触する形態であれば、その数、形状等を任意に変更できる。また、接触板２４Ｄ，２４Ｅに他の形状を採用する場合、保持部の周面の形状、鍼３１の貫通方向に直交する断面の形状に適した他の形状とすることができる。
【００３２】  上述の実施形態において、吸玉１Ｂおよび吸玉１Ｃを図９に示される吸玉１Ｆ，１Ｇのように変更することができる。
吸玉１Ｆは、吸玉４Ｂにおいて１８０度逆方向を向く一対の電極４Ｂ，４Ｂ（接触部２１Ｂ）の内方の湾曲面を同方向に向くように、すなわち本体２の軸を含む平面に対して面対称となるように変更したものである。この変更の結果、それぞれの保持部２３Ｂ，２３Ｂは、同じ方向に凹状である。
【００３３】  吸玉１Ｂが、接触部２１Ｂと鍼３１とを接触させるために、吸玉１Ｂを周方向に回転させたのに対し、吸玉１Ｆは、吸玉１Ｆを電極４Ｂ，４Ｂの並び方向に直交する方向に移動させて接触部２１Ｂと鍼３１とを接触させる。
同様に吸玉１Ｇも、吸玉１Ｃにおいてそれぞれの保持部２３Ｃ，２３Ｃが本体２の軸に対して点対称な一対の電極４Ｃを、本体２の軸を含む平面に対して面対称となるように変更したものである。
【００３４】  その他、吸玉１，１Ｂ，１Ｃ、および吸玉１，１Ｂ，１Ｃの各構成または全体の構造、形状、寸法、個数、材質などは、本考案の趣旨に沿って適宜変更することができる。
【産業上の利用可能性】
【００３５】  本考案は、鍼灸院で治療に使用される吸玉に利用することができる。
【符号の説明】１，１Ｂ，１Ｃ，１Ｆ，１Ｇ  吸玉
２  本体
４，４Ｂ，４Ｃ  電極
１１  吸引口
２１，２１Ｂ，２１Ｃ  （電極の）接触部
２２  （電極の）連結部
２３Ｂ，２３Ｂａ，２３Ｂｂ，２３Ｃ，２３Ｃａ，２３Ｄ，２３Ｅ  保持部
２４Ｄ，２４Ｅ  接触板
【図１】
0003201047.tif 000003
【図２】
0003201047.tif 000004
【図３】
0003201047.tif 000005
【図４】
0003201047.tif 000006
【図５】
0003201047.tif 000007
【図６】
0003201047.tif 000008
【図７】
0003201047.tif 000009
【図８】
0003201047.tif 000010
【図９】
0003201047.tif 000011